(57)【要約】１枚の印刷紙を搬送する保持装置が該印刷紙を横当てに向かって運動させるように配置され、少なくとも２枚の印刷紙が印刷紙流れ方向にずらし重ねされて配置された、印刷紙を印刷紙流れ方向に対して横方向に整列させるための装置において、有効保持面は印刷紙流れ方向に延び、該保持面は横方向よりも縦方向が長く、該有効保持面の縦方向の長さと該有効保持面の横方向の幅との比は３以上である。
2005529039.tif 000002
【特許請求の範囲】
【請求項１】
印刷紙（１０；１１；１２）を印刷紙流れ方向（Ｌ）に対して横方向に整列させるための装置であって、１枚の印刷紙（１０；１１；１２）を搬送する保持装置（０５）が該印刷紙（１０；１１；１２）を横当て（０３）に向かって運動させるように配置され、少なくとも２枚の印刷紙（１０；１１；１２）が印刷紙流れ方向（Ｌ）にずらし重ねされて配置され、有効保持面が印刷紙流れ方向（Ｌ）に延び、該保持面は横方向（ｂ０５）よりも縦方向（ｌ０５）が長いように構成した装置において、前記有効保持面の縦方向の長さ（ｌ０５）と該有効保持面の横方向の幅（ｂ０５）との比は３以上であることを特徴とする装置。
【請求項２】
印刷紙（１０；１１；１２）を印刷紙流れ方向（Ｌ）に対して横方向に整列させるための装置であって、１枚の印刷紙（１０；１１；１２）を搬送する保持装置（０５）が該印刷紙（１０；１１；１２）を横当て（０３）に向かって運動させるように配置され、少なくとも２枚の印刷紙（１０；１１；１２）が印刷紙流れ方向（Ｌ）にずらし重ねされて配置され、有効保持面が印刷紙流れ方向（Ｌ）に延び、該保持面は横方向（ｂ０５）よりも縦方向（ｌ０５）が長いように構成した装置において、３枚の印刷紙（１０；１１；１２）が同時に保持装置（０５）の領域に配置されていることを特徴とする装置。
【請求項３】
保持装置（０５）の有効保持面の長さｌ０５を制限する、印刷紙流れ方向に対して横方向に延びる２本の直線（２３，２４）の間に前記の３枚の印刷紙（１０；１１；１２）が配置されていることを特徴とする請求項２の装置。
【請求項４】
印刷紙（１０；１１；１２）を印刷紙流れ方向（Ｌ）に対して横方向に整列させるための装置であって、１枚の印刷紙（１０；１１；１２）を搬送する吸引ロール（０５）が該印刷紙（１０；１１；１２）を横当て（０３）に向かって運動させるように配置された装置において、吸引ロール（０５）は回転式に配置されていることを特徴とする装置。
【請求項５】
印刷紙（１０；１１；１２）を印刷紙流れ方向（Ｌ）に対して横方向に整列させるための装置であって、１枚の印刷紙（１０；１１；１２）を搬送する吸引ロール（０５）が該印刷紙（１０；１１；１２）を横当て（０３）に向かって運動させるように配置された装置において、吸引ロール（０５）は整列されるべき印刷紙（１０；１１；１２）ごとに１／Ｎ回転（ここでＮ＝２，３，４…、つまり２以上の整数である）を実施するように配置されていることを特徴とする装置。
【請求項６】
吸引ロール（０５）は整列されるべき印刷紙（１０；１１；１２）ごとに二分の一回転つまり半回転を実施するように配置されていることを特徴とする請求項５の装置。
【請求項７】
印刷紙（１０；１１；１２）を印刷紙流れ方向（Ｌ）に対して横方向に整列させるための装置であって、１枚の印刷紙（１０；１１；１２）を搬送する吸引ロール（０５）が該印刷紙（１０；１１；１２）を横当て（０３）に向かって運動させるように配置された装置において、吸引ロール（０５）は円周方向に、吸引孔（０６）を具備した複数のセグメントを有し、それぞれのセグメントは整列されるべき他の１枚の印刷紙（１０；１１；１２）を吸い付けることを特徴とする装置。
【請求項８】
吸引ロール（０５）は円周方向に、吸引孔（０６）を具備した２つのセグメントを有していることを特徴とする請求項７の装置。
【請求項９】
少なくとも２枚の印刷紙（１０；１１；１２）が印刷紙流れ方向（Ｌ）にずらし重ねされて配置されていることを特徴とする請求項４、５又は７の装置。
【請求項１０】
保持装置（０５）は少なくとも１本の吸引ロール（０５）として形成されていることを特徴とする請求項１又は２の装置。
【請求項１１】
吸引ロール（０５）の縦軸は印刷紙（１０；１１；１２）の流れ方向（Ｌ）に近接して配置されていることを特徴とする請求項４、５、７又は１０の装置。
【請求項１２】
請求項４、５、７又は１０において、
吸引ロール（０５）は回転式に配置されていることを特徴とする装置。
【請求項１３】
保持装置（０５）又は吸引ロール（０５）は上方から印刷紙（１０；１１；１２）に作用するように配置されていることを特徴とする請求項１、２、４、５又は７の装置。
【請求項１４】
保持装置（０５）又は吸引ロール（０５）の領域に、印刷紙流れ方向（Ｌ）に対して横方向の搬送動程を制限する少なくとも１個の横当て（０３）が配置されていることを特徴とする請求項１、２、４、５又は７の装置。
【請求項１５】
前記有効保持面の縦方向の長さ（ｌ０５）と該有効保持面の横方向の幅（ｂ０５）との比は３以上、好ましくは５以上であることを特徴とする請求項２、４、５又は７の装置。
【請求項１６】
保持装置（０５）又は吸引ロール（０５）はフィーダボード（０１）に配置されていることを特徴とする請求項１、２、４、５又は７の装置。
【請求項１７】
規則的に回転する吸引ロール（０５）は円周方向に少なくとも１つの吸引孔（０６）付きセグメントと１つの孔なしセグメントとを有し、回転可能に支持された吸引ロール（０５）の内部に固定式エア吸引管（２１）が配置され、吸引ロール（０５）の下側の１枚の印刷紙（１０；１１；１２）の吸い付けと横方向搬送とのために吸引ロール（０５）の全長にわたって前記吸引管の１条の細長いスリットにより一方の狭帯の全吸引孔がエア吸引作用を受けるように構成した請求項４、５又は７の装置。
【請求項１８】
吸引ロール（０５）は全周にわたって吸引孔（０６）を有し、規則的又は自由に回転し、吸引ロール（０５）内のスリット状孔口（２２）を経て下方に規則的にエア吸引が作用するように構成した請求項４又は５の装置。
【請求項１９】
請求項１又は２において、
印刷紙供給装置は前当てと横当てとによって整列された印刷紙（１０；１１；１２）を軸方向に一定距離だけ横方向変位させるように配置されていることを特徴とする装置。
【請求項２０】
吸引ロール（０５）下側の前記の細長い能動エア吸引帯は流入してくる印刷紙（１０；１１；１２）のゆとり帯（１３）と横方向変位されて送り出される印刷紙（１０；１１；１２）の横縁との間に配置されていることを特徴とする請求項１７の装置。
【請求項２１】
３枚までの印刷紙（１０；１１；１２）が同時に吸引ロール（０５）の領域内に  −  該ロールの下側及び該ロールと平行にかつ印刷紙横寄せが行なわれている間にも  −  留まっていることを特徴とする請求項４、５又は７の装置。
【請求項２２】
側方印刷紙ストリーム上方の往復回旋吸引帯又はセグメントも、規則的なエア吸引が行なわれる際に、固定横当て（０３）に向かっての印刷紙のすべり横寄せ運動を実現することを特徴とする請求項１又は２の装置。
【請求項２３】
フィーダボード（０１）上での印刷紙（１０；１１；１２）のずらし重ね間隔は非常に小さいことから、上方から作用する吸引装置が作動している際に、すでに後続印刷紙（１０；１１；１２）は吸い付けられた印刷紙（１０；１１；１２）の下側で前当て（０２）の方向に運動していることを特徴とする請求項１、２、４、５又は７の装置。
【請求項２４】
吸引ロール（０５）は半回転を実施し、互いに対向する２つのエア吸引セグメントを有し、双方のセグメントの間では若干小さな半径を有することを特徴とする請求項４又は７の装置。
【請求項２５】
吸引ロール（０５）の駆動は後置された印刷機と同期した１個の専用のモータによって行なわれることを特徴とする請求項４、５又は７の装置。
【請求項２６】
吸引ロール（０５）の駆動は後置された印刷機と同期した１個の専用のモータにより、フィーダボード（０１）の下を横方向に延びる１本の溝付き回転軸を介し、変位式の一連の傘歯車を経て機械式に行なわれることを特徴とする請求項４、５又は７の装置。
【請求項２７】
前記の駆動は印刷紙流れ方向（Ｌ）に対して横方向にフォーマット調節を可能とすることを特徴とする請求項１２、１８又は１９の装置。
【請求項２８】
印刷紙フォーマットに応じて調節可能な吸引ロール（０５）の駆動はフィーダボード（０１）の上方に配置された１本のたわみ軸により固定駆動点から行なわれることを特徴とする請求項４、５又は７の装置。
【請求項２９】
印刷紙（１０；１１；１２）を印刷紙流れ方向（Ｌ）に対して横方向に整列させるための方法であって、１枚の印刷紙（１０；１１；１２）を搬送する保持装置（０５）が該印刷紙（１０；１１；１２）を横当て（０３）に向かって運動させるように配置され、複数の印刷紙（１０；１１；１２）が印刷紙流れ方向（Ｌ）にずらし重ねされて配置された方法において、以下の各ステップつまり
−  保持装置（０５）によって上方から捕らえられた１枚の印刷紙（１１）が印刷紙流れ方向（Ｌ）に対して横方向に運動させられるステップと、
−  同時に、保持装置（０５）の領域内で、後続印刷紙（１２）の始端が前記の捕らえられた印刷紙（１１）の下側で前方へ搬送されるステップと、
−  先に印刷紙流れ方向（Ｌ）に対して横方向に運動させられて、すでに整列されていた印刷紙（１０）の少なくとも印刷紙流れ方向（Ｌ）における後端が再び印刷紙流れ方向（Ｌ）に対して横方向に変位されて横当て（０３）から引き離されるステップと
から成る方法。
【発明の詳細な説明】
【技術分野】
【０００１】
本発明は請求項１、２、４、５、７又は２９に記載の上位概念に基づく、印刷紙を整列させるための装置及び印刷紙を印刷紙流れ方向に対して横方向に整列させるための方法に関する。
【背景技術】
【０００２】
寄せ当ては種々のタイプのものが公知であり、それらは主として付着摩擦によって各印刷紙を固定ストッパ−本来の横当て−に向かって引き寄せる。同所に達すると、ソフトな引寄せ機構がなお印刷紙に作用しても、付着摩擦が直ちにすべり摩擦に変化するため、印刷紙はただちにその場に留置されることとなる。
【０００３】
印刷紙フィーダボードには駆動式の引寄せレール、引寄せローラ又は引寄せセグメントが配されている。印刷紙が前当てに到達すると、該印刷紙は上方から先ず微調整可能な規則的に上下動するローラによって印刷紙下側の引寄せ装置駆動部に押付けられる。寄せ当ての引寄せ動程は−流入してくるずらし重ねされた印刷紙のばらつき幅＋固定横当てストッパまでの若干ミリメートルの最小寄せ動程−よりも常にわずかに大きい。後者つまりストッパはフィーダボード又は差し板に、印刷機に流入する印刷紙の大きさと所望の側方位置とに応じて調節可能に取り付けられている。
【０００４】
これらの公知の寄せ当ては引寄せ時に印刷紙を上下から挟掴するという短所を有している。したがって、引寄せの完了後、寄せ当ては各印刷紙端が寄せ当て線を通過するまで、つまり寄せ当て線が解放されるまで開いていなければならない。その後に初めて、すでに前当てに達している後続印刷紙を寄せ当てによって引寄せることができる。しかも、その都度、流入してくるずらし重ねストリームの第三の印刷紙は、第二の印刷紙に作用している、つまり閉じている挟掴寄せ当てに達することがないように前当てと寄せ当て線とから十分離れていなければならない。
【０００５】
高速印刷機については、版胴／ゴム胴をできるだけ小さくしておくのが通例である。これにより、紙の流れ速度は低くなり、製造コストも低下する。印刷紙長さは版胴周長の３／４〜５／６であることが多く、つまりシリンダギャップは短く、印刷紙は非常に密に連続して流れることとなる。印刷紙が長く、後続する印刷紙の引寄せのために寄せ当て線が解放されるのが遅すぎるため、挟掴寄せ当てはもはや機能しない。こうした場合には、上方からの押付けローラのない吸引寄せ当てが使用される。
【０００６】
フィーダボードに駆動式吸引寄せ当てが配され、これは十分な数の小さな吸気孔で各印刷紙を吸い付け、固定横当てに向かって印刷紙流れ方向に対して横方向に印刷紙を引寄せる。その際、エア吸引は厚紙までにおよぶ各紙の厚さに合わせて精密に調整され、各印刷紙は吸引口により付着摩擦で横当てに引寄せられて同所に留置され、他方今や自動的に生ずるすべり摩擦が死点までの吸引寄せ当ての運動持続を可能にする。
【０００７】
したがって公知の吸引寄せ当ては挟掴作用なしに上方からのみ印刷紙に作用する。これは先行印刷紙端が覆われた状態での動作を可能にすると同時に挟掴寄せ当てよりも高い時間当たり給紙を実現する。ただし短所は、ずらし重ねストリームによりその都度整列されるべき印刷紙の下になって送られてくる後続の第三の印刷紙は、吸引寄せ当ての場合にも−挟掴寄せ当ての場合と同様に−作動中の寄せ当てにまだ達してはならないという点である。これが可能となるのは吸引寄せ当てが作動しておらず、したがって、下から追ってくる印刷紙用にそれが“解放”されている場合のみである。
【０００８】
印刷紙の横方向整列用の公知の挟掴−／吸引寄せ当ての短所は上方から作用する横引寄せ装置が設けられる場合に回避することができよう。
【０００９】
ドイツ特許第３３０５２１９号公報は、非常に小さなずらし重ね間隔用の、上方から作用する吸引寄せ当ての使用を記載している。
【００１０】
ドイツ特許出願公開第１００５５５８４号公報により、印刷紙を側方に整列させるための装置であって、吸引寄せノズルの印刷紙搬送方向における有効吸引面が横方向よりも大きい装置が公知である。
【００１１】
ドイツ特許第３３０２８７３号公報は、まさに整列中の印刷紙の下側の後続印刷紙を搬送し続けるために持ち上げられる、上方から作用する吸引グリッパを開示している。
【００１２】
ドイツ特許公告第１１１０６５６号公報は印刷紙を側方に整列させるための往復回旋式吸引セグメントを開示している。
【発明の開示】
【発明が解決しようとする課題】
【００１３】
本発明の目的は、印刷紙を整列させるための装置と印刷紙を印刷紙流れ方向に対して横方向に整列させるための方法とを創作することである。
【課題を解決するための手段】
【００１４】
前記課題は本発明により請求項１、２、４、５、７又は２９に記載の特徴によって解決される。
【発明の効果】
【００１５】
本発明によって達成される利点は特に、上方から作用する横吸寄せ装置が挟掴作用なしに作動する点にある。これにより後続印刷紙が寄せ当て線の下を通ることが初めて可能となり、他方、寄せ装置は前当てに当たった印刷紙をさらに側方に向かって固定横縁ストッパまで引寄せることができる。
【００１６】
好適なことに、新たな方式の“上方からの吸寄せ当て”により印刷紙はかなり狭いずらし重ね間隔で、したがって遥かにゆっくりと、フィーダボード上を前当てに向かって流れ、もはや印刷紙の流入妨害がないことから、前当てに早い時点に到達することができる。下方のフィーダボードに向かってのいっさいの挟掴作用がないことから、寄せ当て線は常に解放されている。前当てに早く到達することにより、前縁−／横縁整列にかなり長い時間角が得られることとなる。これにより、ミリ秒レベルの実際の整列時間を通例よりも短縮することなしに、相応した高い機械速度を実現することができる。
【００１７】
“上方からの吸寄せ当て”のさらなる好適な実施形態において、それを印刷機に送られる印刷紙のそれ自体公知のわずかな横方向変位と組み合わせることができる。こうした場合、上方からの吸寄せ当ては−先行印刷紙の印刷紙端が寄せ当て線をまだ覆っていると同時に後続の印刷紙が同じく寄せ当て線に達していなくても−すでに作動することができる。したがって、新たな方式では従来のように２枚だけでなく、３枚の印刷紙が同時に寄せ当て領域にあることとなる。印刷機回転数が遥かに高いにもかかわらず上方からの吸寄せ当てによって同一もしくはより長い印刷紙整列時間が得られる理由はこれによって説明される。
【発明を実施するための最良の形態】
【００１８】
本発明の１実施例を図面によって示し、以下に詳しく説明する。
【００１９】
図１において、フィーダボード０１には、下方に開いた複数の前当て０２が配されている。さらに、覆い当て０４を有する横当て０３が認められる。覆い当て０４は、吸引ロール０５の下側において、該ロールに形成された溝内にある。吸引ロール０５は互いに対向する２列の吸引孔０６を有し、図中ではそのうち上側の列が認められる。吸引ロール軸端は２本の支持アーム０７に支持されて回転し、該アームは紙の寸法の外側に調節式にフィーダボード０１に取り付けられている。エア吸引はホース０９を通して吸引ロール０５に及び、図２においてのみ認められるスリット孔口２２によって内側から吸気管壁面に作用する。吸引ロール軸は印刷紙流れ方向Ｌに対して平行で、整列されるべき印刷紙横縁の近傍にある。吸引ロール０５の駆動は、歯付きベルト車１４、歯付きベルト１５及び給紙装置又は印刷機の１回転軸のピニオン１６を経て行なわれるか、又は、例えば、電子制御軸を有した専用の回転数制御式及び／又は位置制御式電動駆動装置を経て行なわれる。
【００２０】
吸引ロール０５は、図１〜３に示したように２列の吸気孔とともに半回転する。つまり、吸引ロール０５は、整列されるべき印刷紙１０；１１；１２ごとに半回転を実施するように配置されている。吸引ロール０５は５０〜６０ｍｍの直径を有しているのが好適である。ただし、該ロールは別様に、例えば、三分の一回転を実施するように構成されていてもよい。
【００２１】
従って、吸引ロール０５は、整列されるべき印刷紙１０；１１；１２ごとに１／Ｎ回転を実施するように配置されており、ここでＮ＝２，３，４，…、つまり２以上の整数である。
【００２２】
吸引ロール０５は、整列されるべき印刷紙１０；１１；１２ごとに１／Ｎ回転を実施するように配置されている。この場合、Ｎ＝２，３，４…、つまり２以上の整数である。
【００２３】
図１は前当て０２を越えて印刷機に送り出される第一の印刷紙１０を示しており、該印刷紙は横当て０３での横方向整列が行なわれた後、前当て０２に当たった状態で通例の印刷紙供給装置、例えば、振り子式装置によって下側から掴まれるか又は吸引送り装置によって下側から掴まれ、加速されてフィーダボード０１から送り出される。その際、印刷紙供給装置は、軸方向に従って、印刷紙流れ方向Ｌに対して横方向に、常に例えば２６ｍｍという定距離Ａだけ変位する。これにより、おおよそ吸引ロール０５の中心軸の下方にある、例えば幅６ｍｍの細長い吸引スリットは、吸引ロールの全長にわたって送り出される第一の印刷紙１０の横縁から解放される。
【００２４】
図１は印刷紙１０の端が吸引ロール領域をまだ離れ去っていないことを示している。ただし、横方向変位Ａによって可能とされて、吸引ロールはすでに活性化し、すでに前当て０２に当たっている次の第二の印刷紙１１を左方の横当て０３に引き寄せている。この第二の印刷紙１１の印刷紙供給は続いて、第一の印刷紙１０の端が前当て０２をまだ覆っていても開始することができる。
【００２５】
すでに吸引ロール０５の領域に達している第三の印刷紙１２は、ゆっくりと前当て０２の方向に運動する。該印刷紙は上方から作用する吸引ロール０５がちょうど横当て０３に引き寄せている第二の印刷紙１１の下にあることから、吸引ロール０５は第三の印刷紙１２をまだ吸い付けることはできない。これは、次の周期において、第二の印刷紙１１が横方向に距離Ａだけ変位され−今や第一の印刷紙１０と同様に−印刷機に送り出され、吸引ロール０５の吸引スリットが第三の印刷紙１２等々用に解放されて初めて行なわれることとなる。例えば±６ｍｍのゆとり帯１３は斜線を引いて示してある。鱗状にずらし重ねされて給紙装置から送られてくる個々の印刷紙は、フィーダボード０１上でこの最大許容ずれを以って前当て０２に当たる。印刷紙ストリームの上方にある吸引ロール０５の細くて長い能動吸引路は、吸引ロール０５の中心線下方において、印刷紙流入ゆとり帯１３と横当て０３から距離Ａだけ変位されて送り出されるすべての印刷紙の横縁との間にある。この範囲帯は符号Ｂで表されている。こうした配置によって、吸引ロール０５はゆとり帯１３の範囲内のずれを以って流入してくるずらし重ね印刷紙ストリームのすべての印刷紙１０；１１；１２をすばやく捕らえるが、送り出されるすべての印刷紙１０；１１；１２の変位された横縁を捕らえることはない。
【００２６】
縦方向の有効保持面ｌ０５と横方向の有効保持面ｂ０５との比は３以上、好ましくは５以上である必要があろう。
【００２７】
３枚の印刷紙１０；１１；１２は、保持装置０５の有効保持面の長さｌ０５を制限する、印刷紙流れ方向に対して横方向に延びる２本の直線２３，２４の間に配置されている。
【００２８】
図２はフィーダボード／差し板０１の上方の吸引ロール０５を示したものである。第一の印刷紙１０は距離Ａ、例えば２６ｍｍだけ横当て０３から変位されて印刷機に送り出される。該印刷紙は吸引ロール中心から右に変位してエア吸引路２２の外部にある。
【００２９】
第二の印刷紙１１は、吸引孔０６を具備する隆起した２列のエア吸引セグメントの一方によって横当て０３に引き寄せられる。複数本の覆い当てないし案内舌０４は横当て０３から吸引ロール０５の下側溝内に向かって延び、おおよそ該ロールの中心部まで達している。覆い当て０４は、薄い印刷紙１０；１１；１２が、フィーダボード０１、横当て０３及び吸引ロール０５の間に形成される小間内で、横当て０３に当たる際に上へまくれ上がるのを防止する。
【００３０】
吸引ロール０５の２列の能動吸引孔セグメントは互いに対向しており、半回転式吸引ロール０５の場合には約３０°〜４５°の範囲におよんでいることから、約９０°という長い引き寄せ時間角と約２０ｍｍという吸引ロール０５の引き寄せ動程が生ずる。
【００３１】
回転する吸引ロール０５は横方向引き寄せのためのエア吸引の規則的なオン・オフを自ら引き受けることができる。そのためには、対向する２列の４５°セグメントにエア吸引孔０６が配されていれさえすればよい。回転する吸引ロール０５の内部には吸引ロール０５の全長にわたってエア吸引系としての固定された管２１が配されている。管２１は吸引ロール０５の全長にわたって、下方に向いた、例えば幅６ｍｍの１条のエアスリット２２を有している。
【００３２】
吸引ロール０５が全周にわたって吸引孔０６を有し、規則的又は自由に回転し、吸引ロール０５内のスリット状孔口２２を経て下方に規則的にエア吸引が作用するようにすることも考えられる。
【００３３】
吸引ロール０５は、円周方向に吸引孔０６を具備した複数列のセグメントを有し、それぞれのセグメントは整列されるべき他の１枚の印刷紙１０；１１；１２を吸い付ける。吸引ロール０５は円周方向に２列のセグメントを有しているのが好適である。
【００３４】
図２に示したように、覆い当て／案内舌０４が吸引ロールの下側に入り込んでいる箇所、つまり吸引ロールに形成された溝の部分において、管２１には吸引スリット２２は設けられておらず、これによって吸引管２１の安定性が高められる。管２１内には真空が常に維持されており、孔口近辺のエア孔０６からの吸引が行なわれるだけであることから、エア吸引の開閉切換えは極めて迅速に行なわれる。吸引ロール０５において２列の能動吸引セグメント０６の間の外周部は該セグメントよりも若干引っ込んでいる。これにより、印刷機に送り込まれる横方向変位された第一の印刷紙１０が、支障なく吸引ロールの脇を該ロールの中心軸と平行にフィーダボード０１を離れることが容易となる。
【００３５】
図２において、流入してくる第三の印刷紙１２はずらし重ねゆとり帯１３の内部で、横当て０３から右方かつ吸引ロール０５の中心から左方にあり、従って、もともと吸引域２２内にある。ただし、第二の印刷紙１１が第三の印刷紙１２の上にあり、第二の印刷紙１１が吸引ロール０５によって上方から横当て０３に向かって引き寄せられることから、第三の印刷紙１２は−第一の印刷紙１１によって覆われているため−吸引ロール０５によって吸い付けられることはない。従って、第三の印刷紙１２は横吸寄せ当て０３が作動していても支障なく前当て０２の方向へ運動し続けることができる。
【００３６】
図３はフィーダボード０１の上方にある吸引ロール０５の駆動例を具体的に示したものであり、該ロールは歯車１４、歯付きベルト１５及び駆動輪１６を介して半回転駆動される。フィーダボード０１上方の傘歯車１７；１８は１本の垂直軸１９によってフィーダボード０１下方の２：１傘歯車３０；３１と連結されている。傘歯車３１には沈みキー３２が嵌め込まれており、該キーはフィーダボード０１下方の、フィーダボードに対して横向きに配置された１回転軸３４の１本の連続溝３３に嵌合している。この１回転軸３４の上方には垂直な傘歯車駆動軸１９を下から上に通すためのスリットがフィーダボード０１に設けられている。こうして、吸寄せ当てユニット全体は駆動装置とともに印刷紙流れ方向に対して横方向に印刷紙幅に応じ印刷機のＳＩ（制御側）に、又は吸寄せ当てユニットとともに印刷機のＳＩＩ（駆動側）に移動させることができる。
【００３７】
図３において、新たな方式では給紙時間利得を目的として３枚の印刷紙１０；１１；１２が同時に吸寄せ当て領域にあることが認められるが、他方、公知の方式ではこれは従来２枚のみである。
【００３８】
図４はゼロ位線から−１５０ｍｍのポジションにおける従来の寄せ当てによる印刷紙供給の動程−／時間線図を表したものである。横軸は例えば、版胴の１回転軸の０°から３６０°までの作動時間角を表し、縦軸は印刷紙動程ｍｍを表している。
【００３９】
左外の第一の印刷紙は９０°時間角において例えば、スインググリッパにより平行して胴周速まで加速され、横軸に等しい前当て線を４５°直線として離れる。
【００４０】
第二の印刷紙は印刷紙ずらし長さＳＬ＝３００ｍｍの印刷紙ストリームでよりゆっくりと流れ、２１０°で前当てに当たる。該印刷紙は前当てに８０°にわたり、つまり２９０°まで接触している。次いで、従来の横寄せ当てが作動するが、これは流れ去る最大７２０ｍｍの長さを有する第一の印刷紙からすでに解放されている。３５０°で寄せ当てが解放されるまでの寄せ時間は６０°である。その後に初めて第三の印刷紙１２が前当てから−１５０ｍｍの寄せ当て線を通過することができるが、これは到着点が２１０°で、ＳＬ＝３００ｍｍという比較的大きなずらし間隔を強制する。例えば、８５０ｍｍの長さを有する非常に長い印刷紙は寄せ当てを覆ってしまう。この場合には寄せ当ては下からの吸寄せ当てでなければならない。
【００４１】
図５は、吸引作用によって上からのみ印刷紙を吸寄せる本発明に基づく横寄せ当てによる改良された動程−／時間線図を示したものである。印刷紙の始端と終端とは図４と同様に運動する。第二の印刷紙は遥かに早く、つまり１４０°で前当てに当たり、寄せ当てが開始する２６０°までのその接触時間は１２０°である。
【００４２】
ずらし間隔ＳＬは−第三の印刷紙が図４のように寄せ当ての空きを待つ必要がないために−１８０ｍｍにすぎない。第三の印刷紙１２は作動中の寄せ当ての下をくぐることができ、従って、すでに２５０ｍｍ−１３０ｍｍという寄せ当て−吸引ロール間の長さ１２０ｍｍの領域内にあってよく−これは最も好適なわずか１８０ｍｍという小さなずらし間隔を許容することとなる。
【００４３】
通常の最大印刷紙長さ７２０ｍｍの場合、印刷紙端は、寄せ当て−吸引ロールが２６０°から３６０°まで、従って９０°寄せ時間で作動する前に、その脇を通過する。
【００４４】
例えば、長さ８５０ｍｍ又は１回転１０００ｍｍの胴周長の３０６°に相当する長さの非常に長い印刷紙の場合、送り出される印刷紙端は作動中の吸寄せ当てを覆ってしまう。こうした場合、送り出される印刷紙は−寄せ当てが適時に２６０°で解放されるように−側方に、例えば２６ｍｍだけ変位されなければならない。
【００４５】
図４と図５の比較から、給紙時間が５０％だけ長くなる、つまり前当てにあっては８０°ではなく１２０°、横当てにあっては６０°ではなく９０°であることが明らかとなる。これが可能となる理由は、その都度第二の印刷紙だけでなく、すでに第三の印刷紙も吸寄せ当て機構と前当て０２との間の領域にあることができるからである。これにより、同時に小さい好適なずらし重ね間隔が実現され、速度は低下し、前当てに当たる際の反撥危険も減少する。
【００４６】
本発明は前記実施例に制限されるものではない。
【図面の簡単な説明】
【００４７】
【図１】フィーダボードの左隅を上方から眺めた図である。
【図２】吸寄せ当てとフィーダボードとの断面図である。
【図３】横方向変位式吸引ロールの駆動装置を示す図である。
【図４】従来の寄せ当てによる印刷紙供給の動程−／時間線図である。
【図５】本発明による横当てによる印刷紙供給の動程−／時間線図である。
【符号の説明】
【００４８】
０１ フィーダボード
０２ 前当て
０３ 横当て
０４ 覆い当て、案内舌
０５ 保持装置、吸引ロール
０６ 吸引孔、吸気孔、吸引セグメント、保持面
０７ 支持アーム
０８ −
０９ ホース
１０ 印刷紙、第一
１１ 印刷紙、第二
１２ 印刷紙、第三
１３ ゆとり帯
１４ 歯付きベルト車
１５ 歯付きベルト
１６ 駆動輪
１７ 傘歯車
１８ 傘歯車
１９ 軸、垂直、傘歯車駆動軸
２０ −
２１ 管
２２ エアスリット、スリット孔口
２３ 直線
２４ 直線
２５ −
２６ −
２７ −
２８ −
２９ −
３０ 傘歯車
３１ 傘歯車
３２ 沈みキー
３３ 溝
３４ １回転軸
Ａ 定値、距離
Ｂ 定値、距離
Ｌ 流れ方向、印刷紙流れ方向
ｌ０５ 保持面の長さ、縦方向
ｂ０５ 保持面の幅、横方向
ＺＭ 寄せ当て
ＶＭ 前当て
ＳＬ ずらし重ね長さ、ずらし重ね間隔
【図１】
2005529039.tif 000003
【図２】
2005529039.tif 000004
【図３】
2005529039.tif 000005
【図４】
2005529039.tif 000006
【図５】
2005529039.tif 000007
【手続補正書】
【提出日】平成16年4月16日(2004.4.16)
【手続補正１】
【補正対象書類名】特許請求の範囲
【補正対象項目名】全文
【補正方法】変更
【補正の内容】
【特許請求の範囲】
【請求項１】
印刷紙（１０；１１；１２）を印刷紙流れ方向（Ｌ）に対して横方向に整列させるための装置であって、１枚の印刷紙（１０；１１；１２）を上方から搬送する保持装置（０５）が該印刷紙（１０；１１；１２）を横当て（０３）に向かって運動させるように配置され、少なくとも２枚の印刷紙（１０；１１；１２）が印刷紙流れ方向（Ｌ）にずらし重ねされて配置され、有効保持面が印刷紙流れ方向（Ｌ）に延び、該保持面は横方向（ｂ０５）よりも縦方向（ｌ０５）が長く、３枚の印刷紙（１０；１１；１２）が同時に保持装置（０５）の領域に配置されているように構成した装置において、保持装置（０５）は少なくとも１本の吸引ロール（０５）として形成され、吸引ロール（０５）の縦軸は印刷紙（１０；１１；１２）の流れ方向（Ｌ）に近接して配置され、吸引ロール（０５）は回転式に配置されていることを特徴とする装置。
【請求項２】
吸引ロール（０５）の有効保持面の長さ（ｌ０５）を制限する、印刷紙流れ方向に対して横方向に延びる２本の直線（２３，２４）の間に前記の３枚の印刷紙（１０；１１；１２）が配置されていることを特徴とする請求項１の装置。
【請求項３】
印刷紙（１０；１１；１２）を印刷紙流れ方向（Ｌ）に対して横方向に整列させるための装置であって、１枚の印刷紙（１０；１１；１２）を搬送する吸引ロール（０５）が該印刷紙（１０；１１；１２）を横当て（０３）に向かって運動させるように配置された装置において、吸引ロール（０５）は整列されるべき印刷紙（１０；１１；１２）ごとに二分の一回転つまり半回転を実施するように配置されていることを特徴とする装置。
【請求項４】
印刷紙（１０；１１；１２）を印刷紙流れ方向（Ｌ）に対して横方向に整列させるための装置であって、１枚の印刷紙（１０；１１；１２）を搬送する吸引ロール（０５）が該印刷紙（１０；１１；１２）を横当て（０３）に向かって運動させるように配置された装置において、吸引ロール（０５）は円周方向に、吸引孔（０６）を具備した複数のセグメントを有し、それぞれのセグメントは整列されるべき他の１枚の印刷紙（１０；１１；１２）を吸い付けることを特徴とする装置。
【請求項５】
吸引ロール（０５）は円周方向に吸引孔（０６）を具備した２つのセグメントを有していることを特徴とする請求項４の装置。
【請求項６】
少なくとも２枚の印刷紙（１０；１１；１２）が印刷紙流れ方向（Ｌ）にずらし重ねされて配置されていることを特徴とする請求項３又は４の装置。
【請求項７】
吸引ロール（０５）の縦軸は印刷紙（１０；１１；１２）の流れ方向（Ｌ）に近接して配置されていることを特徴とする請求項３又は４の装置。
【請求項８】
吸引ロール（０５）は回転式に配置されていることを特徴とする請求項３又は４の装置。
【請求項９】
吸引ロール（０５）は上方から印刷紙（１０；１１；１２）に作用するように配置されていることを特徴とする請求項３又は４の装置。
【請求項１０】
前記有効保持面の縦方向の長さ（ｌ０５）と該有効保持面の横方向の幅（ｂ０５）との比は３以上、好ましくは５以上であることを特徴とする請求項１、３又は４の装置。
【請求項１１】
吸引ロール（０５）はフィーダボード（０１）に配置されていることを特徴とする請求項１、３又は４の装置。
【請求項１２】
規則的に回転する吸引ロール（０５）は円周方向に少なくとも１つの吸引孔（０６）付きセグメントと１つの孔なしセグメントとを有し、回転可能に支持された吸引ロール（０５）の内部に固定式エア吸引管（２１）が配置され、吸引ロール（０５）の下側の１枚の印刷紙（１０；１１；１２）の吸い付けと横方向搬送とのために吸引ロール（０５）の全長にわたって前記吸引管の１条の細長いスリットにより一方の狭帯の全吸引孔がエア吸引作用を受けるように構成した請求項１、３又は４の装置。
【請求項１３】
吸引ロール（０５）は全周にわたって吸引孔（０６）を有し、規則的又は自由に回転し、吸引ロール（０５）内のスリット状孔口（２２）を経て下方に規則的にエア吸引が作用するように構成した請求項３の装置。
【請求項１４】
印刷紙供給装置は前当てと横当てとによって整列された印刷紙（１０；１１；１２）を軸方向に一定距離だけ横方向変位させるように配置されていることを特徴とする請求項１の装置。
【請求項１５】
吸引ロール（０５）下側の前記の細長い能動エア吸引帯は流入してくる印刷紙（１０；１１；１２）のゆとり帯（１３）と横方向変位されて送り出される印刷紙（１０；１１；１２）の横縁との間に配置されていることを特徴とする請求項１２の装置。
【請求項１６】
３枚までの印刷紙（１０；１１；１２）が同時に吸引ロール（０５）の領域内に  −  該ロールの下側及び該ロールと平行にかつ印刷紙横寄せが行なわれている間にも  −  留まっていることを特徴とする請求項３又は４の装置。
【請求項１７】
フィーダボード（０１）上での印刷紙（１０；１１；１２）のずらし重ね間隔は非常に小さいことから、上方から作用する吸引装置が作動している際に、すでに後続印刷紙（１０；１１；１２）は吸い付けられた印刷紙（１０；１１；１２）の下側で前当て（０２）の方向に運動していることを特徴とする請求項１、３又は４の装置。
【請求項１８】
吸引ロール（０５）は半回転を実施し、互いに対向する２つのエア吸引セグメントを有し、双方のセグメントの間では若干小さな半径を有することを特徴とする請求項４の装置。
【請求項１９】
吸引ロール（０５）の駆動は後置された印刷機と同期した１個の専用のモータによって行なわれることを特徴とする請求項１、３又は４の装置。
【請求項２０】
吸引ロール（０５）の駆動は後置された印刷機と同期した１個の専用のモータにより、フィーダボード（０１）の下を横方向に延びる１本の溝付き回転軸を介し、変位式の一連の傘歯車を経て機械式に行なわれることを特徴とする請求項１、３又は４の装置。
【請求項２１】
前記の駆動は印刷紙流れ方向（Ｌ）に対して横方向にフォーマット調節を可能とすることを特徴とする請求項８、１３又は１４の装置。
【請求項２２】
印刷紙フォーマットに応じて調節可能な吸引ロール（０５）の駆動はフィーダボード（０１）の上方に配置された１本のたわみ軸により固定駆動点から行なわれることを特徴とする請求項１、３又は４の装置。
【請求項２３】
印刷紙（１０；１１；１２）を印刷紙流れ方向（Ｌ）に対して横方向に整列させるための方法であって、１枚の印刷紙（１０；１１；１２）を搬送する吸引ロール（０５）が該印刷紙（１０；１１；１２）を横当て（０３）に向かって運動させるように配置され、複数の印刷紙（１０；１１；１２）が印刷紙流れ方向（Ｌ）にずらし重ねされて配置され、吸引ロール（０５）の縦軸が印刷紙（１０；１１；１２）の流れ方向（Ｌ）に近接して配置された方法において、以下の各ステップつまり
−  吸引ロール（０５）によって上方から捕らえられた１枚の印刷紙（１１）が印刷紙流れ方向（Ｌ）に対して横方向に運動させられるステップと、
−  同時に、吸引ロール（０５）の領域内で、後続印刷紙（１２）の始端が前記の捕らえられた印刷紙（１１）の下側で前方へ搬送されるステップと、
−  先に印刷紙流れ方向（Ｌ）に対して横方向に運動させられて、すでに整列されていた印刷紙（１０）の少なくとも印刷紙流れ方向（Ｌ）における後端が再び印刷紙流れ方向（Ｌ）に対して横方向に変位されて横当て（０３）から引き離されるステップと
から成る方法。
【手続補正２】
【補正対象書類名】明細書
【補正対象項目名】全文
【補正方法】変更
【補正の内容】
【発明の詳細な説明】
【技術分野】
【０００１】
本発明は請求項１、３、４又は２３に記載の上位概念に基づく、印刷紙を整列させるための装置及び印刷紙を印刷紙流れ方向に対して横方向に整列させるための方法に関する。
【背景技術】
【０００２】
寄せ当ては種々のタイプのものが公知であり、それらは主として付着摩擦によって各印刷紙を固定ストッパ−本来の横当て−に向かって引き寄せる。同所に達すると、ソフトな引寄せ機構がなお印刷紙に作用しても、付着摩擦が直ちにすべり摩擦に変化するため、印刷紙はただちにその場に留置されることとなる。
【０００３】
印刷紙フィーダボードには駆動式の引寄せレール、引寄せローラ又は引寄せセグメントが配されている。印刷紙が前当てに到達すると、該印刷紙は上方から先ず微調整可能な規則的に上下動するローラによって印刷紙下側の引寄せ装置駆動部に押付けられる。寄せ当ての引寄せ動程は−流入してくるずらし重ねされた印刷紙のばらつき幅＋固定横当てストッパまでの若干ミリメートルの最小寄せ動程−よりも常にわずかに大きい。後者つまりストッパはフィーダボード又は差し板に、印刷機に流入する印刷紙の大きさと所望の側方位置とに応じて調節可能に取り付けられている。
【０００４】
これらの公知の寄せ当ては引寄せ時に印刷紙を上下から挟掴するという短所を有している。したがって、引寄せの完了後、寄せ当ては各印刷紙端が寄せ当て線を通過するまで、つまり寄せ当て線が解放されるまで開いていなければならない。その後に初めて、すでに前当てに達している後続印刷紙を寄せ当てによって引寄せることができる。しかも、その都度、流入してくるずらし重ねストリームの第三の印刷紙は、第二の印刷紙に作用している、つまり閉じている挟掴寄せ当てに達することがないように前当てと寄せ当て線とから十分離れていなければならない。
【０００５】
高速印刷機については、版胴／ゴム胴をできるだけ小さくしておくのが通例である。これにより、紙の流れ速度は低くなり、製造コストも低下する。印刷紙長さは版胴周長の３／４〜５／６であることが多く、つまりシリンダギャップは短く、印刷紙は非常に密に連続して流れることとなる。印刷紙が長く、後続する印刷紙の引寄せのために寄せ当て線が解放されるのが遅すぎるため、挟掴寄せ当てはもはや機能しない。こうした場合には、上方からの押付けローラのない吸引寄せ当てが使用される。
【０００６】
フィーダボードに駆動式吸引寄せ当てが配され、これは十分な数の小さな吸気孔で各印刷紙を吸い付け、固定横当てに向かって印刷紙流れ方向に対して横方向に印刷紙を引寄せる。その際、エア吸引は厚紙までにおよぶ各紙の厚さに合わせて精密に調整され、各印刷紙は吸引口により付着摩擦で横当てに引寄せられて同所に留置され、他方今や自動的に生ずるすべり摩擦が死点までの吸引寄せ当ての運動持続を可能にする。
【０００７】
したがって公知の吸引寄せ当ては挟掴作用なしに上方からのみ印刷紙に作用する。これは先行印刷紙端が覆われた状態での動作を可能にすると同時に挟掴寄せ当てよりも高い時間当たり給紙を実現する。ただし短所は、ずらし重ねストリームによりその都度整列されるべき印刷紙の下になって送られてくる後続の第三の印刷紙は、吸引寄せ当ての場合にも−挟掴寄せ当ての場合と同様に−作動中の寄せ当てにまだ達してはならないという点である。これが可能となるのは吸引寄せ当てが作動しておらず、したがって、下から追ってくる印刷紙用にそれが“解放”されている場合のみである。
【０００８】
印刷紙の横方向整列用の公知の挟掴−／吸引寄せ当ての短所は上方から作用する横引寄せ装置が設けられる場合に回避することができよう。
【０００９】
ドイツ特許第３３０５２１９号公報は、非常に小さなずらし重ね間隔用の、上方から作用する吸引寄せ当ての使用を記載している。
【００１０】
ドイツ特許出願公開第１００５５５８４号公報により、印刷紙を側方に整列させるための装置であって、吸引寄せノズルの印刷紙搬送方向における有効吸引面が横方向よりも大きい装置が公知である。
【００１１】
ドイツ特許第３３０２８７３号公報は、まさに整列中の印刷紙の下側の後続印刷紙を搬送し続けるために持ち上げられる、上方から作用する吸引グリッパを開示している。
【００１２】
ドイツ特許公告第１１１０６５６号公報は印刷紙を側方に整列させるための往復回旋式吸引セグメントを開示している。
【００１３】
米国特許第２１６７８２３号は印刷紙を印刷紙流れ方向に対して側方に整列させるための装置であって、１枚の印刷紙を搬送する保持装置が該印刷紙を横当てに向かって運動させるように配置され、少なくとも２枚の印刷紙が印刷紙流れ方向にずらし重ねされて配置され、有効保持面が印刷紙流れ方向に延び、該保持面は横方向よりも縦方向が長く、前記保持装置は上方から印刷紙に作用するように配置されている整列装置を開示している。この場合、３枚の印刷紙が同時に前記保持装置の領域に配置されている。
【００１４】
ドイツ特許出願公開第２７３５７１１号公報は下方から作用する吸引帯によって印刷紙を側方に整列させるための装置を開示している。
【００１５】
ドイツ特許出願公開第２７１１５５４号公報及びドイツ特許第６５３３０８号公報はそれぞれ、印刷紙を整列させるための装置であって、すでに整列された印刷紙の印刷紙流れ方向において後方の端が再び印刷紙流れ方向に対して横方向に横当てから引き離れるように構成した装置を記載している。
【００１６】
ドイツ特許出願公開第１９８２２３０７号公報は印刷紙を印刷紙流れ方向に対して横方向に整列させるための装置であって、印刷紙を下方から搬送する搬送ローラが印刷紙を横当てに向かって運動させ、該搬送ローラは整列されるべき印刷紙ごとに１／Ｎ回転を実施するように構成した装置を開示している。
【００１７】
米国特許出願公開第１７２８３２９号公報により上方から作用する回転式吸引ロールによって印刷紙を側方に整列させるための装置が公知である。
【発明の開示】
【発明が解決しようとする課題】
【００１８】
本発明の目的は、印刷紙を整列させるための装置と印刷紙を印刷紙流れ方向に対して横方向に整列させるための方法とを創作することである。
【課題を解決するための手段】
【００１９】
前記課題は本発明により請求項１、３、４又は２３に記載の特徴によって解決される。
【発明の効果】
【００２０】
本発明によって達成される利点は特に、上方から作用する横吸寄せ装置が挟掴作用なしに作動する点にある。これにより後続印刷紙が寄せ当て線の下を通ることが初めて可能となり、他方、寄せ装置は前当てに当たった印刷紙をさらに側方に向かって固定横縁ストッパまで引寄せることができる。
【００２１】
好適なことに、新たな方式の“上方からの吸寄せ当て”により印刷紙はかなり狭いずらし重ね間隔で、したがって遥かにゆっくりと、フィーダボード上を前当てに向かって流れ、もはや印刷紙の流入妨害がないことから、前当てに早い時点に到達することができる。下方のフィーダボードに向かってのいっさいの挟掴作用がないことから、寄せ当て線は常に解放されている。前当てに早く到達することにより、前縁−／横縁整列にかなり長い時間角が得られることとなる。これにより、ミリ秒レベルの実際の整列時間を通例よりも短縮することなしに、相応した高い機械速度を実現することができる。
【００２２】
“上方からの吸寄せ当て”のさらなる好適な実施形態において、それを印刷機に送られる印刷紙のそれ自体公知のわずかな横方向変位と組み合わせることができる。こうした場合、上方からの吸寄せ当ては−先行印刷紙の印刷紙端が寄せ当て線をまだ覆っていると同時に後続の印刷紙が同じく寄せ当て線に達していなくても−すでに作動することができる。したがって、新たな方式では従来のように２枚だけでなく、３枚の印刷紙が同時に寄せ当て領域にあることとなる。印刷機回転数が遥かに高いにもかかわらず上方からの吸寄せ当てによって同一もしくはより長い印刷紙整列時間が得られる理由はこれによって説明される。
【発明を実施するための最良の形態】
【００２３】
本発明の１実施例を図面によって示し、以下に詳しく説明する。
【００２４】
図１において、フィーダボード０１には、下方に開いた複数の前当て０２が配されている。さらに、覆い当て０４を有する横当て０３が認められる。覆い当て０４は、吸引ロール０５の下側において、該ロールに形成された溝内にある。吸引ロール０５は互いに対向する２列の吸引孔０６を有し、図中ではそのうち上側の列が認められる。吸引ロール軸端は２本の支持アーム０７に支持されて回転し、該アームは紙の寸法の外側に調節式にフィーダボード０１に取り付けられている。エア吸引はホース０９を通して吸引ロール０５に及び、図２においてのみ認められるスリット孔口２２によって内側から吸気管壁面に作用する。吸引ロール軸は印刷紙流れ方向Ｌに対して平行で、整列されるべき印刷紙横縁の近傍にある。吸引ロール０５の駆動は、歯付きベルト車１４、歯付きベルト１５及び給紙装置又は印刷機の１回転軸のピニオン１６を経て行なわれるか、又は、例えば、電子制御軸を有した専用の回転数制御式及び／又は位置制御式電動駆動装置を経て行なわれる。
【００２５】
吸引ロール０５は、図１〜３に示したように２列の吸気孔とともに半回転する。つまり、吸引ロール０５は、整列されるべき印刷紙１０；１１；１２ごとに半回転を実施するように配置されている。吸引ロール０５は５０〜６０ｍｍの直径を有しているのが好適である。ただし、該ロールは別様に、例えば、三分の一回転を実施するように構成されていてもよい。
【００２６】
従って、吸引ロール０５は、整列されるべき印刷紙１０；１１；１２ごとに１／Ｎ回転を実施するように配置されており、ここでＮ＝２，３，４，…、つまり２以上の整数である。
【００２７】
吸引ロール０５は、整列されるべき印刷紙１０；１１；１２ごとに１／Ｎ回転を実施するように配置されている。この場合、Ｎ＝２，３，４…、つまり２以上の整数である。
【００２８】
図１は前当て０２を越えて印刷機に送り出される第一の印刷紙１０を示しており、該印刷紙は横当て０３での横方向整列が行なわれた後、前当て０２に当たった状態で通例の印刷紙供給装置、例えば、振り子式装置によって下側から掴まれるか又は吸引送り装置によって下側から掴まれ、加速されてフィーダボード０１から送り出される。その際、印刷紙供給装置は、軸方向に従って、印刷紙流れ方向Ｌに対して横方向に、常に例えば２６ｍｍという定距離Ａだけ変位する。これにより、おおよそ吸引ロール０５の中心軸の下方にある、例えば幅６ｍｍの細長い吸引スリットは、吸引ロールの全長にわたって送り出される第一の印刷紙１０の横縁から解放される。
【００２９】
図１は印刷紙１０の端が吸引ロール領域をまだ離れ去っていないことを示している。ただし、横方向変位Ａによって可能とされて、吸引ロールはすでに活性化し、すでに前当て０２に当たっている次の第二の印刷紙１１を左方の横当て０３に引き寄せている。この第二の印刷紙１１の印刷紙供給は続いて、第一の印刷紙１０の端が前当て０２をまだ覆っていても開始することができる。
【００３０】
すでに吸引ロール０５の領域に達している第三の印刷紙１２は、ゆっくりと前当て０２の方向に運動する。該印刷紙は上方から作用する吸引ロール０５がちょうど横当て０３に引き寄せている第二の印刷紙１１の下にあることから、吸引ロール０５は第三の印刷紙１２をまだ吸い付けることはできない。これは、次の周期において、第二の印刷紙１１が横方向に距離Ａだけ変位され−今や第一の印刷紙１０と同様に−印刷機に送り出され、吸引ロール０５の吸引スリットが第三の印刷紙１２等々用に解放されて初めて行なわれることとなる。例えば±６ｍｍのゆとり帯１３は斜線を引いて示してある。鱗状にずらし重ねされて給紙装置から送られてくる個々の印刷紙は、フィーダボード０１上でこの最大許容ずれを以って前当て０２に当たる。印刷紙ストリームの上方にある吸引ロール０５の細くて長い能動吸引路は、吸引ロール０５の中心線下方において、印刷紙流入ゆとり帯１３と横当て０３から距離Ａだけ変位されて送り出されるすべての印刷紙の横縁との間にある。この範囲帯は符号Ｂで表されている。こうした配置によって、吸引ロール０５はゆとり帯１３の範囲内のずれを以って流入してくるずらし重ね印刷紙ストリームのすべての印刷紙１０；１１；１２をすばやく捕らえるが、送り出されるすべての印刷紙１０；１１；１２の変位された横縁を捕らえることはない。
【００３１】
縦方向の有効保持面ｌ０５と横方向の有効保持面ｂ０５との比は３以上、好ましくは５以上である必要があろう。
【００３２】
３枚の印刷紙１０；１１；１２は、保持装置０５の有効保持面の長さｌ０５を制限する、印刷紙流れ方向に対して横方向に延びる２本の直線２３，２４の間に配置されている。
【００３３】
図２はフィーダボード／差し板０１の上方の吸引ロール０５を示したものである。第一の印刷紙１０は距離Ａ、例えば２６ｍｍだけ横当て０３から変位されて印刷機に送り出される。該印刷紙は吸引ロール中心から右に変位してエア吸引路２２の外部にある。
【００３４】
第二の印刷紙１１は、吸引孔０６を具備する隆起した２列のエア吸引セグメントの一方によって横当て０３に引き寄せられる。複数本の覆い当てないし案内舌０４は横当て０３から吸引ロール０５の下側溝内に向かって延び、おおよそ該ロールの中心部まで達している。覆い当て０４は、薄い印刷紙１０；１１；１２が、フィーダボード０１、横当て０３及び吸引ロール０５の間に形成される小間内で、横当て０３に当たる際に上へまくれ上がるのを防止する。
【００３５】
吸引ロール０５の２列の能動吸引孔セグメントは互いに対向しており、半回転式吸引ロール０５の場合には約３０°〜４５°の範囲におよんでいることから、約９０°という長い引き寄せ時間角と約２０ｍｍという吸引ロール０５の引き寄せ動程が生ずる。
【００３６】
回転する吸引ロール０５は横方向引き寄せのためのエア吸引の規則的なオン・オフを自ら引き受けることができる。そのためには、対向する２列の４５°セグメントにエア吸引孔０６が配されていれさえすればよい。回転する吸引ロール０５の内部には吸引ロール０５の全長にわたってエア吸引系としての固定された管２１が配されている。管２１は吸引ロール０５の全長にわたって、下方に向いた、例えば幅６ｍｍの１条のエアスリット２２を有している。
【００３７】
吸引ロール０５が全周にわたって吸引孔０６を有し、規則的又は自由に回転し、吸引ロール０５内のスリット状孔口２２を経て下方に規則的にエア吸引が作用するようにすることも考えられる。
【００３８】
吸引ロール０５は、円周方向に吸引孔０６を具備した複数列のセグメントを有し、それぞれのセグメントは整列されるべき他の１枚の印刷紙１０；１１；１２を吸い付ける。吸引ロール０５は円周方向に２列のセグメントを有しているのが好適である。
【００３９】
図２に示したように、覆い当て／案内舌０４が吸引ロールの下側に入り込んでいる箇所、つまり吸引ロールに形成された溝の部分において、管２１には吸引スリット２２は設けられておらず、これによって吸引管２１の安定性が高められる。管２１内には真空が常に維持されており、孔口近辺のエア孔０６からの吸引が行なわれるだけであることから、エア吸引の開閉切換えは極めて迅速に行なわれる。吸引ロール０５において２列の能動吸引セグメント０６の間の外周部は該セグメントよりも若干引っ込んでいる。これにより、印刷機に送り込まれる横方向変位された第一の印刷紙１０が、支障なく吸引ロールの脇を該ロールの中心軸と平行にフィーダボード０１を離れることが容易となる。
【００４０】
図２において、流入してくる第三の印刷紙１２はずらし重ねゆとり帯１３の内部で、横当て０３から右方かつ吸引ロール０５の中心から左方にあり、従って、もともと吸引域２２内にある。ただし、第二の印刷紙１１が第三の印刷紙１２の上にあり、第二の印刷紙１１が吸引ロール０５によって上方から横当て０３に向かって引き寄せられることから、第三の印刷紙１２は−第一の印刷紙１１によって覆われているため−吸引ロール０５によって吸い付けられることはない。従って、第三の印刷紙１２は横吸寄せ当て０３が作動していても支障なく前当て０２の方向へ運動し続けることができる。
【００４１】
図３はフィーダボード０１の上方にある吸引ロール０５の駆動例を具体的に示したものであり、該ロールは歯車１４、歯付きベルト１５及び駆動輪１６を介して半回転駆動される。フィーダボード０１上方の傘歯車１７；１８は１本の垂直軸１９によってフィーダボード０１下方の２：１傘歯車３０；３１と連結されている。傘歯車３１には沈みキー３２が嵌め込まれており、該キーはフィーダボード０１下方の、フィーダボードに対して横向きに配置された１回転軸３４の１本の連続溝３３に嵌合している。この１回転軸３４の上方には垂直な傘歯車駆動軸１９を下から上に通すためのスリットがフィーダボード０１に設けられている。こうして、吸寄せ当てユニット全体は駆動装置とともに印刷紙流れ方向に対して横方向に印刷紙幅に応じ印刷機のＳＩ（制御側）に、又は吸寄せ当てユニットとともに印刷機のＳＩＩ（駆動側）に移動させることができる。
【００４２】
図３において、新たな方式では給紙時間利得を目的として３枚の印刷紙１０；１１；１２が同時に吸寄せ当て領域にあることが認められるが、他方、公知の方式ではこれは従来２枚のみである。
【００４３】
図４はゼロ位線から−１５０ｍｍのポジションにおける従来の寄せ当てによる印刷紙供給の動程−／時間線図を表したものである。横軸は例えば、版胴の１回転軸の０°から３６０°までの作動時間角を表し、縦軸は印刷紙動程ｍｍを表している。
【００４４】
左外の第一の印刷紙は９０°時間角において、例えば、スインググリッパにより平行して胴周速まで加速され、横軸に等しい前当て線を４５°直線として離れる。
【００４５】
第二の印刷紙は印刷紙ずらし長さＳＬ＝３００ｍｍの印刷紙ストリームでよりゆっくりと流れ、２１０°で前当てに当たる。該印刷紙は前当てに８０°にわたり、つまり２９０°まで接触している。次いで、従来の横寄せ当てが作動するが、これは流れ去る最大７２０ｍｍの長さを有する第一の印刷紙からすでに解放されている。３５０°で寄せ当てが解放されるまでの寄せ時間は６０°である。その後に初めて第三の印刷紙１２が前当てから−１５０ｍｍの寄せ当て線を通過することができるが、これは到着点が２１０°で、ＳＬ＝３００ｍｍという比較的大きなずらし間隔を強制する。例えば、８５０ｍｍの長さを有する非常に長い印刷紙は寄せ当てを覆ってしまう。この場合には寄せ当ては下からの吸寄せ当てでなければならない。
【００４６】
図５は、吸引作用によって上からのみ印刷紙を吸寄せる本発明に基づく横寄せ当てによる改良された動程−／時間線図を示したものである。印刷紙の始端と終端とは図４と同様に運動する。第二の印刷紙は遥かに早く、つまり１４０°で前当てに当たり、寄せ当てが開始する２６０°までのその接触時間は１２０°である。
【００４７】
ずらし間隔ＳＬは−第三の印刷紙が図４のように寄せ当ての空きを待つ必要がないために−１８０ｍｍにすぎない。第三の印刷紙１２は作動中の寄せ当ての下をくぐることができ、従って、すでに２５０ｍｍ−１３０ｍｍという寄せ当て−吸引ロール間の長さ１２０ｍｍの領域内にあってよく−これは最も好適なわずか１８０ｍｍという小さなずらし間隔を許容することとなる。
【００４８】
通常の最大印刷紙長さ７２０ｍｍの場合、印刷紙端は、寄せ当て−吸引ロールが２６０°から３６０°まで、従って９０°寄せ時間で作動する前に、その脇を通過する。
【００４９】
例えば、長さ８５０ｍｍ又は１回転１０００ｍｍの胴周長の３０６°に相当する長さの非常に長い印刷紙の場合、送り出される印刷紙端は作動中の吸寄せ当てを覆ってしまう。こうした場合、送り出される印刷紙は−寄せ当てが適時に２６０°で解放されるように−側方に、例えば２６ｍｍだけ変位されなければならない。
【００５０】
図４と図５の比較から、給紙時間が５０％だけ長くなる、つまり前当てにあっては８０°ではなく１２０°、横当てにあっては６０°ではなく９０°であることが明らかとなる。これが可能となる理由は、その都度第二の印刷紙だけでなく、すでに第三の印刷紙も吸寄せ当て機構と前当て０２との間の領域にあることができるからである。これにより、同時に小さい好適なずらし重ね間隔が実現され、速度は低下し、前当てに当たる際の反撥危険も減少する。
【００５１】
本発明は前記実施例に制限されるものではない。
【図面の簡単な説明】
【００５２】
【図１】フィーダボードの左隅を上方から眺めた図である。
【図２】吸寄せ当てとフィーダボードとの断面図である。
【図３】横方向変位式吸引ロールの駆動装置を示す図である。
【図４】従来の寄せ当てによる印刷紙供給の動程−／時間線図である。
【図５】本発明による横当てによる印刷紙供給の動程−／時間線図である。
【符号の説明】
【００５３】
０１ フィーダボード
０２ 前当て
０３ 横当て
０４ 覆い当て、案内舌
０５ 保持装置、吸引ロール
０６ 吸引孔、吸気孔、吸引セグメント、保持面
０７ 支持アーム
０８ −
０９ ホース
１０ 印刷紙、第一
１１ 印刷紙、第二
１２ 印刷紙、第三
１３ ゆとり帯
１４ 歯付きベルト車
１５ 歯付きベルト
１６ 駆動輪
１７ 傘歯車
１８ 傘歯車
１９ 軸、垂直、傘歯車駆動軸
２０ −
２１ 管
２２ エアスリット、スリット孔口
２３ 直線
２４ 直線
２５ −
２６ −
２７ −
２８ −
２９ −
３０ 傘歯車
３１ 傘歯車
３２ 沈みキー
３３ 溝
３４ １回転軸
Ａ 定値、距離
Ｂ 定値、距離
Ｌ 流れ方向、印刷紙流れ方向
ｌ０５ 保持面の長さ、縦方向
ｂ０５ 保持面の幅、横方向
ＺＭ 寄せ当て
ＶＭ 前当て
ＳＬ ずらし重ね長さ、ずらし重ね間隔
【国際調査報告】
2005529039.tif 000008
2005529039.tif 000009
2005529039.tif 000010
2005529039.tif 000011
2005529039.tif 000012
2005529039.tif 000013
2005529039.tif 000014
2005529039.tif 000015
2005529039.tif 000016